(57)【要約】      （修正有）【課題】店舗の一部を貸し出してリサイクル商品の陳列販売を代行するシステムにおいて使用するのに好適な陳列販売代行用印刷物を提供する。【解決手段】販売代行者にリサイクル商品を販売委託する際に委託者が記載する販売サービス申込書１０を形成する。該販売サービス申込書１０に、委託者管理コード欄１３、委託品番欄１４、委託品名欄１５、販売価格欄１６を設ける。販売代行者がリサイクル商品を販売した後に精算する際に記載する商品販売管理精算書を形成する。該商品販売管理精算書に、中途返却の申請有無を記載する返却確認欄を設ける。委託者が委託したリサイクル商品の一部の販売を中止する際に記載する中途返却申請書を形成する。該中途返却申請書に、返却申請年月日欄、委託者名欄、委託者管理コード欄、委託品番欄、返却確認欄を設ける。【選択図】図１
0003159350.tif 000002
【実用新案登録請求の範囲】
【請求項１】
店舗の販売スペースの一部を、委託されたリサイクル商品の販売代行用の陳列スペースとして使用し、店舗内の一般商品と共にリサイクル商品を一定期間陳列して販売代行することで、該販売代行者にリサイクル商品一点ごとの出品料と、売れた場合の販売手数料とが支払われるように構成された陳列販売代行システムに用いる印刷物であって、販売代行者にリサイクル商品を販売委託する際に委託者が記載する販売サービス申込書と、販売代行者がリサイクル商品を販売した後に精算する際に記載する商品販売管理精算書と、委託者が委託したリサイクル商品の一部の販売を中止する際に記載する中途返却申請書とからなり、
販売サービス申込書には、委託年月日欄、委託者名欄、委託者管理コード欄、委託品番欄、委託品名欄、販売価格欄が設けられ、
商品販売管理精算書には、精算年月日欄、委託者名欄、委託者管理コード欄、委託品番欄、販売年月日欄、販売価格欄、売上額精算欄、中途返却の申請有無を記載する返却確認欄が設けられ、
中途返却申請書には、返却申請年月日欄、委託者名欄、委託者管理コード欄、委託品番欄、返却確認欄を設けたことを特徴とする陳列販売代行用印刷物。
【請求項２】
前記中途返却申請書に、販売代行者から未販売商品が返還されたことを委託者が確認するための返還受領確認欄を設けた請求項１記載の陳列販売代行用印刷物。
【考案の詳細な説明】
【技術分野】
【０００１】
本考案は、例えば不要になった商品のリサイクル販売を委託する者のために、販売代行者が店舗の一部を貸し出し、委託されたリサイクル商品を陳列して販売するといった販売システムにおいて使用される陳列販売代行用印刷物に関する。
【背景技術】
【０００２】
古着などのリサイクル商品の販売を代行して行うリサイクル商品販売システムがある。このリサイクル商品販売システムは、販売代行者が委託されたリサイクル商品を販売するシステムで、委託者は、売れた価格の一部を販売代行手数料として販売代行者に支払うシステムである。
【０００３】
このようなシステムに使用する伝票類が特許文献１に記載されている。この伝票は、販売委託書と委託販売清算書とで構成されている。
【先行技術文献】
【特許文献】
【０００４】
【特許文献１】実開平２−４８３６１号公報
【考案の概要】
【考案が解決しようとする課題】
【０００５】
ところが、このような伝票は、販売を代行する者が、依頼されてから販売するまでの手続き一切を代行業者に任せる場合に有効であるが、販売代行を依頼した者がその後、一部の商品の販売をキャンセルするなどといった依頼人の選択の自由を保障する販売代行システムに使用することはできない。
【０００６】
例えば、当考案者が提案している陳列販売代行システムは、販売を委託される者が一般の商品を販売している店舗を有する者であり、この店舗の販売スペースの一部を委託商品用の販売スペースとして用いる販売代行システムである。集客力が減少している店舗は、より集客力の高い商品の展示を希望するケースが多い。そこで、この販売代行システムでは、リサイクル商品を手軽に販売したいと希望するユーザーと、集客力につながる商品を展示したいと希望する販売店舗との相互の需要を満たすべく構成されている。すなわち、販売代行者は、販売スペースの一部をリサイクル商品の販売を希望する委託者に提供すると共に、委託されたリサイクル商品の展示と販売を代行して行うシステムである。委託者は、商品一点ごとの出品料及び、売れた場合の販売手数料を販売店である販売代行者に支払い、販売代行者は、自社の商品と共に、委託されたリサイクル商品を一定期間店舗に展示して販売する。
【０００７】
このようなシステムを採用する場合、特許文献１の如き伝票類のみでは、システムが十分に機能しない。その理由として、委託者は、持ち込んだリサイクル商品が一般の商品と共に店頭に並ぶので、例えば自分のリサイクル商品の価値が見直されて勿体なくなるなどの理由から委託販売を中止したくなることがある。このような場合、他のリサイクル商品を引き続き委託しながら一部の商品のみをキャンセルする場合の手立てが必要になる。
【０００８】
従来のこの種の伝票類では、委託した商品全てが販売対象になっているので、一部の商品のみをキャンセルすることはできない。しかも、特許文献１に記載されたシステムでは、販売を委託したリサイクル商品が、どこでどのようにして販売されるかは、委託された業者の手法に任せるしかなく、委託者が商品の販売状況を確認する手段すら明らかにされていない。
【０００９】
そこで本考案は、係る課題を解決すべく案出されたもので、店舗の一部を貸し出して、リサイクル商品の陳列販売を代行する販売システムにおいて使用するのに好適で、特に、一部の商品のみをキャンセルする場合でも合理的な操作が可能になる陳列販売代行用印刷物の提供を目的とするものである。
【課題を解決するための手段】
【００１０】
本考案の第１の手段は、店舗の販売スペースの一部を、委託されたリサイクル商品の販売代行用の陳列スペースとして使用し、店舗内の一般商品と共にリサイクル商品を一定期間陳列して販売代行することで、該販売代行者にリサイクル商品一点ごとの出品料と、売れた場合の販売手数料とが支払われるように構成された陳列販売代行システムに用いる印刷物であって、販売代行者にリサイクル商品を販売委託する際に委託者が記載する販売サービス申込書１０と、販売代行者がリサイクル商品を販売した後に精算する際に記載する商品販売管理精算書２０と、委託者が委託したリサイクル商品の一部の販売を中止する際に記載する中途返却申請書３０とからなり、
販売サービス申込書１０には、委託年月日欄１１、委託者名欄１２、委託者管理コード欄１３、委託品番欄１４、委託品名欄１５、販売価格欄１６が設けられ、
商品販売管理精算書２０には、精算年月日欄２１、委託者名欄２２、委託者管理コード欄２３、委託品番欄２４、販売年月日欄２５、販売価格欄２６、売上額精算欄２８、中途返却の申請有無を記載する返却確認欄２７が設けられ、
中途返却申請書３０には、返却申請年月日欄３１、委託者名欄３２、委託者管理コード欄３３、委託品番欄３４、返却確認欄３５を設けたことにある。
【００１１】
第２の手段は、前記中途返却申請書３０に、販売代行者より未販売商品が返還されたことを委託者が確認するための返還受領確認欄３６を設けたことを課題解消のための手段とする。
【考案の効果】
【００１２】
本考案は、請求項１の商品販売管理精算書２０に記載された返却確認欄２７と、中途返却申請書３０に記載された返却確認欄３５とにより、特に、一部の商品のみをキャンセルする場合でも合理的な操作が可能になるものである。したがって、委託者は販売代行における自由度が増し、陳列販売されている状態を見ながら委託商品を交換することも可能になる。この結果、依頼者は、展示販売物の主体的所有権が保全され、一部キャンセルすることで再使用や別途譲渡する自由も保障される。しかも、委託販売をいつでもキャンセルできるので安心して利用申込ができるといった利点もある。
【００１３】
また、請求項２の中途返却申請書３０に記載された返還受領確認欄３６により、販売代行をキャンセルしたリサイクル商品の所在を常に明らかにすることができる。したがって、依頼者は、リサイクル商品の販売依頼やキャンセルを自由に行うことが可能になり、陳列販売代行システムの参加者を有利に募集することができるものである。
【図面の簡単な説明】
【００１４】
【図１】本考案の販売サービス申込書の一実施例を示す正面図である。
【図２】本考案の商品販売管理精算書の一実施例を示す正面図である。
【図３】本考案の中途返却申請書の一実施例を示す正面図である。
【考案を実施するための形態】
【００１５】
本考案によると、店舗の一部を貸し出して、リサイクル商品の陳列販売を代行する販売システムにおいて使用するのに好適で、特に、一部の商品のみをキャンセルする場合でも合理的な操作が可能になるなどといった当初の目的を実現した。
【実施例】
【００１６】
本考案印刷物は、販売サービス申込書１０と、商品販売管理精算書２０と、中途返却申請書３０とで構成される。
【００１７】
販売サービス申込書１０は、販売代行者にリサイクル商品を販売委託する際に委託者が記載する印刷物である（図１参照）。この販売サービス申込書１０には、委託年月日欄１１、委託者名欄１２、委託者管理コード欄１３、委託品番欄１４、委託品名欄１５、販売価格欄１６が設けられている。図示例の委託者名欄１２は、住所、氏名、電話番号のほか、依頼者が未成年の場合に親権者が記名捺印する欄を併設している。また、委託品名欄１５には、委託品の種別、名称、色、サイズ、品番などを記載するほか、依頼品の現在の状態を書き込む欄を設けている。更に、図示例では、委託したリサイクル商品の総数及びリサイクル商品１点ごとに支払う出品料を記載する出品欄１７と、依頼された展示販売の期間を示す期間表示欄１８も設けている。この販売サービス申込書１０によって委託するリサイクル商品の総数が確認される。
【００１８】
商品販売管理精算書２０は、販売代行者がリサイクル商品を販売した後に精算する際に記載する印刷物である（図２参照）。この商品販売管理精算書２０には、精算年月日欄２１、委託者名欄２２、委託者管理コード欄２３、委託品番欄２４、販売年月日欄２５、販売価格欄２６、中途返却の申請有無を記載する返却確認欄２７が設けられている。図示例の委託者管理コード欄２３は、販売サービス申込書１０の委託者管理コード欄１３と同一のものが販売サービス申込書１０の位置と同一位置に設けられている。また、返却確認欄２７は、中途返却か終了返却かを示すように設けられており、この返却確認欄２７と販売年月日欄２５とのいずれかに記入がないものは、販売代行者の在庫として残っていることになる。そして、売上額精算欄２８により、この商品販売管理精算書２０により、リサイクル商品の売上合計額から販売代行手数料を差し引いた差引精算額が確認されるものである。
【００１９】
更に、図示の商品販売管理精算書２０では、販売代行者から返却された売れ残りのリサイクル商品の総数と、販売されたリサイクル商品の精算金額とを依頼者が確認するための依頼者確認欄２９が設けられている（図２参照）。この商品販売管理精算書２０により、リサイクル商品の販売状況や返却状況が確認されるものである。
【００２０】
中途返却申請書３０は、委託者が委託したリサイクル商品の一部の販売を中止する際に記載する印刷物である（図３参照）この中途返却申請書３０には、返却申請年月日欄３１、委託者名欄３２、委託者管理コード欄３３、委託品番欄３４、返却確認欄３５が設けられている。
【００２１】
図示の委託者管理コード欄３３は、販売サービス申込書１０の委託者管理コード欄１３若しくは商品販売管理精算書２０の委託者管理コード欄２３と同一のものが同一位置に設けられている（図３参照）。また、委託者名欄３２も、販売サービス申込書１０の委託者名欄１２と同一の内容が記載できるように設けている。
【００２２】
そして、委託者が返却を希望するリサイクル商品の品番を委託品番欄３４に記入して販売代行者に提出すると、販売代行者は、指定されたリサイクル商品が既に販売済みであるか否かを確認し、まだ在庫として残っている場合に返却欄に記入する。一方、リサイクル商品が販売済みの場合は、返却確認欄３５において販売済みであることを記入する。そして、販売代行者より未販売商品が返還されると、委託者が返還の確認を証明するための返還受領確認欄３６が設けられている（図３参照）。
【００２３】
本考案印刷物を使用するシステムは次のような構成である。すなわち、店舗の販売スペースの一部を、委託されたリサイクル商品の販売代行用の陳列スペースとして使用し、店舗内の一般商品と共にリサイクル商品を一定期間陳列して販売代行することで、該販売代行者にリサイクル商品一点ごとの出品料と、売れた場合の販売手数料とが支払われるように構成されている。
【００２４】
尚、図示例の各構成は、本考案の一実施例に過ぎず、各欄の印刷位置やレイアウトなどの変更は任意であり、本考案印刷物を使用する陳列販売代行システムの構成も本考案の要旨を変更しない範囲において自由に変更することができる。
【産業上の利用可能性】
【００２５】
本考案印刷物は、リサイクル商品の陳列販売代行システムに用いる他、リサイクル商品以外の商品を陳列販売代行するシステムにも使用可能である。
【符号の説明】
【００２６】
１０  販売サービス申込書
１１  委託年月日欄
１２  委託者名欄
１３  委託者管理コード欄
１４  委託品番欄
１５  委託品名欄
１６  販売価格欄
２０  商品販売管理精算書
２１  精算年月日欄
２２  委託者名欄
２３  委託者管理コード欄
２４  委託品番欄
２５  販売年月日欄
２６  販売価格欄
２７  返却確認欄
２８  売上額精算欄
２９  依頼者確認欄
３０  中途返却申請書
３１  返却申請年月日欄
３２  委託者名欄
３３  委託者管理コード欄
３４  委託品番欄
３５  返却確認欄
３６  返還受領確認欄
【図１】
0003159350.tif 000003
【図２】
0003159350.tif 000004
【図３】
0003159350.tif 000005
【手続補正書】
【提出日】平成22年3月4日(2010.3.4)
【手続補正１】
【補正対象書類名】実用新案登録請求の範囲
【補正対象項目名】請求項１
【補正方法】変更
【補正の内容】
【請求項１】
店舗の販売スペースの一部を、委託されたリサイクル商品の販売代行用の陳列スペースとして使用し、店舗内の一般商品と共にリサイクル商品を一定期間陳列して販売代行することで、該販売代行者にリサイクル商品一点ごとの出品料と、売れた場合の販売手数料とが支払われるように構成された陳列販売代行システムに用いる印刷物であって、販売代行者にリサイクル商品を販売委託する際に委託者が記載する販売サービス申込書からなる印刷物と、販売代行者がリサイクル商品を販売した後に精算する際に記載する商品販売管理精算書からなる印刷物と、委託者が委託したリサイクル商品の一部の販売を中止する際に記載する中途返却申請書からなる印刷物とからなり、
販売サービス申込書には、委託年月日欄、委託者名欄、委託者管理コード欄、委託品番欄、委託品名欄、販売価格欄が設けられ、
商品販売管理精算書には、精算年月日欄、委託者名欄、委託者管理コード欄、委託品番欄、販売年月日欄、販売価格欄、売上額精算欄、中途返却の申請有無を記載する返却確認欄が設けられ、
中途返却申請書には、返却申請年月日欄、委託者名欄、委託者管理コード欄、委託品番欄、返却確認欄を設けたことを特徴とする陳列販売代行用印刷物。